(57)【要約】【課題】普通紙、再生紙に対する乾燥性やにじみ、色むらがなく、十分な画像濃度が得られ、インクジェット記録に用いた場合に、目詰まり回復性や吐出安定性が良好なインク組成物を提供すること。【解決手段】少なくとも、水と着色剤と下記一般式（ｉ）に示す化合物とを含んでなることを特徴とするインク組成物。また、前記顔料が、その表面にカルボニル基、カルボキシル基、ヒドロキシル基およびスルホン基から選ばれる少なくとも一種の官能基またはその塩が結合するような表面処理によって、分散剤なしに水に分散および／または溶解が可能な自己分散型顔料であることが好ましい。【化１】2005023231.tif 000011（但し、ｎ＝２〜８を示す。）【選択図】  なし【特許請求の範囲】
【請求項１】
少なくとも、水と着色剤と下記一般式（ｉ）に示す化合物とを含んでなることを特徴とするインク組成物。
【化１】
2005023231.tif 000010
（但し、ｎ＝２〜８を示す。）
【請求項２】
前記着色剤が、インク組成物全量に対して０．５〜１５重量％含まれることを特徴とする請求項１に記載のインク組成物。
【請求項３】
前記着色剤が顔料であることを特徴とする請求項１または２に記載のインク組成物。
【請求項４】
前記顔料が分散剤なしに水に分散および／または溶解が可能な自己分散型顔料であることを特徴とする請求項３に記載のインク組成物。
【請求項５】
前記顔料が、その表面にカルボニル基、カルボキシル基、ヒドロキシル基およびスルホン基から選ばれる少なくとも一種の官能基またはその塩が結合するような表面処理によって、分散剤なしに水に分散および／または溶解が可能な自己分散型顔料であることを特徴とする請求項３または４に記載のインク組成物。
【請求項６】
前記顔料が、次亜ハロゲン酸及び／または次亜ハロゲン酸塩による酸化処理、またはオゾンによる酸化処理により表面処理された自己分散型顔料であることを特徴とする請求項３〜５の何れかに記載のインク組成物。
【請求項７】
前記一般式（ｉ）に示す化合物が、インク組成物全量に対して０．１〜１０重量％含まれることを特徴とする請求項１〜６の何れかに記載のインク組成物。
【請求項８】
請求項１〜７の何れかに記載のインク組成物を記録媒体に付着させて印字を行う記録方法。
【請求項９】
請求項１〜７の何れかに記載のインク組成物の液滴を吐出し、該液滴を記録媒体に付着させて印字を行うことを特徴とするインクジェット記録方法。
【請求項１０】
請求項８または９に記載の記録方法によって記録が行われた記録物。
【発明の詳細な説明】
【０００１】
【発明の属する技術分野】
本発明はインク組成物並びにこれを用いた記録方法および記録物に関し、特にインクジェット記録に適したインク組成物に関するものである。
【０００２】
【従来の技術】
インクジェット記録方法は、インクの小滴を飛翔させ、紙等の記録媒体に付着させて印刷を行う印刷方法である。このようなインクジェット記録に用いられるインク組成物には、記録物の乾燥性がよいこと、記録物ににじみがないことや色むらがないこと、また、様々な被記録媒体の表面に記録できることなどの特性が要求される。
【０００３】
ここで、特に問題となるのは、被記録媒体が家庭やオフィス等で一般に用いられる普通紙、再生紙である場合、その紙繊維の構成やサイズ剤等の処理剤の影響等でにじみや色むらが発生しやすく、また、その種類によってもにじみや色むらの程度がまちまちであるため、均一な品質を提供することが難しいことである。
【０００４】
そこで従来から、にじみや色むらを防止するために様々なインク組成物が提案されている。例えば、グリコールエーテル類と界面活性剤の併用（特許文献１、２等参照）やカルボキシル基を有する重合体と気化性のある水溶性有機溶剤と特定のエーテル系化合物を含むインク（特許文献３参照）などである。
【０００５】
また、インクジェット記録に用いられるインク組成物には、着色剤として一般に各種の水溶性染料を水または水と水溶性有機溶剤との混合物に溶解させたものが使用されているが、このような水溶性染料を含むインクにより形成された画像は耐水性や耐光性に劣ることが指摘されている。
【０００６】
これに対して、顔料を水性媒体に分散させて得られたインクは、耐水性及び耐光性に優れており、例えば、顔料を界面活性剤や高分子分散剤で分散した水性顔料インクなどが提案されている。しかしながらこれらのインクでは、インク中に顔料を安定に分散させるための界面活性剤または高分子分散剤が必要であり、それによって、乾燥性が悪くなったり、にじみや色むらが発生したり、印字安定性の悪化等の信頼性に問題があった。
【０００７】
これらの課題を解決するために、顔料表面に一定量以上の表面活性水素あるいはその塩を導入して、界面活性剤や高分子分散剤等の分散剤がなくても、単独で水系溶媒に分散させることができる自己分散型顔料分散液が開示されている。
【０００８】
上記のような分散剤を必要としない、いわゆる自己分散型顔料は、着色剤としてインクに用いた場合、分散剤の影響がないため、分散剤と種々の添加溶媒との相溶性を考慮する必要がないという利点から種々開発されており、その顔料表面にはカルボニル基、カルボキシル基、ヒドロキシル基、スルホン基、アンモニウム基等の親水性官能基が、直接的あるいはアルキル基、アリール基等を介して間接的に結合してなるものが知られている。
【０００９】
しかし、これらの開示されたインク組成物では、未だ普通紙、再生紙に対する乾燥性やにじみ、色むらの問題を解決しておらず、特に顔料を用いたインク組成物では、印字安定性等の信頼性にも課題があるものである。
【００１０】
【特許文献１】
特開平９−３３７９号公報
【特許文献２】
特開平１０−９５９４１号公報
【特許文献３】
特開平１０−１７８０３号公報
【００１１】
【発明が解決しようとする課題】
以上で述べたように、従来から記録画像のにじみ改善策が種々提案されているが、いずれの方法においても、にじみを生じやすい被記録媒体（普通紙や再生紙）に対しては、十分に要求を満足できるレベルに達していない。したがって、本発明の目的とするところは、普通紙、再生紙に対する乾燥性やにじみ、色むらがなく、十分な画像濃度が得られ、インクジェット記録に用いた場合に、目詰まり回復性や吐出安定性が良好なインク組成物を提供することにある。
【００１２】
【課題を解決するための手段】
本発明者らは鋭意検討の結果、少なくとも、水と着色剤と特定の化合物とを含んでなることを特徴とするインク組成物が、前記課題を解決し得るとの知見を得た。本発明は、かかる知見に基づくものであり、本発明の構成は以下の通りである。
【００１３】
（１）少なくとも、水と着色剤と下記一般式（ｉ）に示す化合物とを含んでなることを特徴とするインク組成物。
【００１４】
【化２】
2005023231.tif 000002
（但し、ｎ＝２〜８を示す。）
（２）前記着色剤が、インク組成物全量に対して０．５〜１５重量％含まれることを特徴とする（１）に記載のインク組成物。
（３）前記着色剤が顔料であることを特徴とする（１）または（２）に記載のインク組成物。
（４）前記顔料が分散剤なしに水に分散および／または溶解が可能な自己分散型顔料であることを特徴とする（３）に記載のインク組成物。
（５）前記顔料が、その表面にカルボニル基、カルボキシル基、ヒドロキシル基およびスルホン基から選ばれる少なくとも一種の官能基またはその塩が結合するような表面処理によって、分散剤なしに水に分散および／または溶解が可能な自己分散型顔料であることを特徴とする（３）または（４）に記載のインク組成物。
（６）前記顔料が、次亜ハロゲン酸及び／または次亜ハロゲン酸塩による酸化処理、またはオゾンによる酸化処理により表面処理された自己分散型顔料であることを特徴とする（３）〜（５）の何れかに記載のインク組成物。
（７）前記一般式（ｉ）に示す化合物が、インク組成物全量に対して０．１〜１０重量％含まれることを特徴とする（１）〜（６）の何れかに記載のインク組成物。
（８）（１）〜（７）の何れかに記載のインク組成物を記録媒体に付着させて印字を行う記録方法。
（９）（１）〜（７）の何れかに記載のインク組成物の液滴を吐出し、該液滴を記録媒体に付着させて印字を行うことを特徴とするインクジェット記録方法。
（１０）（８）または（９）に記載の記録方法によって記録が行われた記録物。
【００１５】
【発明の実施の形態】
以下、本発明のインク組成物を、その好ましい実施形態に基づいて詳細に説明する。
【００１６】
本発明のインク組成物は、少なくとも、水と着色剤と下記一般式（ｉ）に示す化合物を含んでなることを特徴とする。
【００１７】
【化３】
2005023231.tif 000003
（但し、ｎ＝２〜８を示す。）
以下に本発明の詳細について説明する。
【００１８】
本発明の着色剤としては、「染料便覧」（出版元；丸善株式会社）、「カラーインデックス」（出版元；Ｔｈｅ  Ｓｏｃｉｅｔｙ  Ｏｆ  Ｄｙｅｓ  ａｎｄ  Ｃｏｌｏｕｒｉｓｔｓ）等に記載の既存の染料、顔料を用いることができる。
【００１９】
より好ましい着色剤は顔料であり、本発明に用いることができる顔料としては、カラーインデックスに記載されているピグメントイエロー、ピグメントレッド、ピグメントバイオレット、ピグメントブルー、ピグメントブラック等の顔料の他、フタロシアニン系、アゾ系、アントラキノン系、アゾメチン系、縮合環系等の顔料が例示できる。また、黄色４号、５号、２０５号、４０１号；橙色２２８号、４０５号；青色１号、４０４号等の有機顔料や、酸化チタン、酸化亜鉛、酸化ジルコニウム、酸化鉄、群青、紺青、酸化クローム等の無機顔料が挙げられ、例えば、Ｃ．Ｉ．ピグメントイエロー１，３，１２，１３，１４，１７，２４，３４，３５，３７，４２，５３，５５，７４，８１，８３，９５，９７，９８，１００，１０１，１０４，１０８，１０９，１１０，１１７，１２０，１２８，１３８，１５０，１５３，１５５，１７４，１８０，１９８、Ｃ．Ｉ．ピグメントレッド１，３，５，８，９，１６，１７，１９，２２，３８，５７：１，９０，１１２，１２２，１２３，１２７，１４６，１７７，１８４，２０２，２０９、Ｃ．Ｉ．ピグメントバイオレッド１，３，５：１，１６，１９，２３，３８、Ｃ．Ｉ．ピグメントブルー１，２，１５，１５：１，１５：２，１５：３，１５：４，１６、Ｃ．Ｉ．ピグメントブラック１，７等がある。
【００２０】
さらに、本発明に用いることができる顔料が、分散剤なしに水に分散および／または溶解が可能な自己分散型顔料であることが好ましい。
【００２１】
自己分散型顔料とは、顔料表面に多数の親水性官能基および／またはその塩（以下「分散性付与基」ともいう。）を、直接的またはアルキル基、アルキルエーテル基、アリール基等を介して間接的に結合させたもので、分散剤なしに水性媒体中に分散および／または溶解することが可能な顔料である。ここで「分散剤なしに水性媒体中に分散および／または溶解」とは、顔料を分散させるための分散剤を用いなくても水性媒体中に分散可能な最小粒子径で安定に存在している状態をいい、「分散可能な最小粒子径」とは、分散時間を増してもそれ以上小さくならない顔料の粒子径をいう。
【００２２】
前記自己分散型顔料を着色剤として含有するインクは、通常の顔料を分散させるために含有させる前述のような分散剤を含む必要が無いため、分散剤に起因する消泡性の低下による発泡がほとんど無く吐出安定性に優れるインクが調製しやすい。また分散剤に起因する大幅な粘度上昇が抑えられるので、顔料をより多く含有することが可能となり印字濃度を十分に高めることが可能になる等取り扱いが容易である。
【００２３】
前記自己分散型顔料の表面に結合される分散性付与基としては、−ＣＯＯＨ、−ＣＯ、−ＯＨ、−ＳＯ３Ｈ、−ＰＯ３Ｈ２及び第４級アンモニウム並びにそれらの塩が例示できる。また前記自己分散型顔料の原料となる顔料としては、例えば前述のカーボンブラック（Ｃ．Ｉ．ピグメントブラック７）やカラーインデックスに記載されているピグメントイエロー、ピグメントレッド、ピグメントバイオレット、ピグメントブルー、ピグメントブラック等の顔料の他、フタロシアニン系、アゾ系、アントラキノン系、アゾメチン系、縮合環系等の顔料が例示できる。また、黄色４号、５号、２０５号、４０１号；橙色２２８号、４０５号；青色１号、４０４号等の有機顔料や、酸化チタン、酸化亜鉛、酸化ジルコニウム、酸化鉄、群青、紺青、酸化クローム等の無機顔料を用いることも出来る。
【００２４】
前記自己分散型顔料は、例えば、顔料に物理的処理または化学的処理を施すことで、前記分散性付与基または前記分散性付与基を有する活性種を顔料の表面に結合（グラフト）させることによって製造される。前記物理的処理としては、例えば真空プラズマ処理等が例示できる。また前記化学的処理としては、例えば水中で酸化剤により顔料表面を酸化する湿式酸化法や、ｐ−アミノ安息香酸を顔料表面に結合させることによりフェニル基を介してカルボキシル基を結合させる方法等が例示できる。
【００２５】
本発明においては、次亜ハロゲン酸及び／または次亜ハロゲン酸塩による酸化処理、またはオゾンによる酸化処理により表面処理される自己分散型顔料が、高発色という点で好ましい。
【００２６】
また、前記自己分散型顔料としては市販品を利用することも可能であり、マイクロジェットＣＷ−１（商品名；オリヱント化学工業（株）製）、ＣＡＢ−Ｏ−ＪＥＴ２００、ＣＡＢ−Ｏ−ＪＥＴ３００（以上商品名；キャボット社製）等が例示できる。
【００２７】
前述のような本発明のインク組成物に含まれる着色剤は、０．５〜１５重量％の範囲で含有される。含有量が０．５重量％未満では印字濃度（ＯＤ値）が不充分である場合があり、また１５重量％よりも大きいとノズルの目詰まりや、吐出の不安定を起こす等の信頼性に不具合が生じる場合がある。
【００２８】
本発明における一般式（ｉ）の化合物は、具体的には以下に示す式（ｉｉ）〜式（ｖ）で表される化合物があげられるが、これらに限定されることはなく、また２種類以上を混合して用いても良い。
【００２９】
【化４】
2005023231.tif 000004
【００３０】
【化５】
2005023231.tif 000005
【００３１】
【化６】
2005023231.tif 000006
【００３２】
【化７】
2005023231.tif 000007
【００３３】
これらの化合物は、インクジェット用インク組成物として、普通紙、再生紙上での乾燥性と信頼性（目詰まりや吐出安定性等）をより有効に得る観点から０．１〜１０重量％の範囲で本発明のインク組成物中に含有されることが、好ましい。
【００３４】
さらに、本発明のインク組成物に含有される水は主溶媒であり、イオン交換水、限外濾過水、逆浸透水、蒸留水等の純水または超純水を用いることが好ましい。特に紫外線照射または過酸化水素添加等により滅菌処理した水を用いることが、カビやバクテリアの発生を防止してインク組成物の長期保存を可能にする点で好ましい。
【００３５】
また、本発明のインク組成物は水溶性有機化合物を含有することが好ましい。水溶性有機化合物としては、例えば、グリセリン、１，２，６−ヘキサントリオール、トリメチロールプロパン、エチレングリコール、プロピレングリコール、ジエチレングリコール、トリエチレングリコール、テトラエチレングリコール、ペンタエチレンフリコール、ジプロピレングリコール、２−ブテンー１，４−ジオール、２−エチルー１，３−ヘキサンジオール、２−メチルー２，４−ペンタンジオール、１，２−オクタンジオール、１，２−ヘキサンジオール、１，２−ペンタンジオール、４−メチル−１，２−ペンタンジオール等の多価アルコール類、グルコース、マンノース、フルクトース、リボース、キシロース、アラビノース、ガラクトース、アルドン酸、グルシトール、（ソルビット）、マルトース、セロビオース、ラクトース、スクロース、トレハロース、マルトトリオース等の糖類、糖アルコール類、ヒアルロン酸類、尿素類等のいわゆる固体湿潤剤、エタノール、メタノール、ブタノール、プロパノール、イソプロパノールなどの炭素数１〜４のアルキルアルコール類、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテルなどのグリコールエーテル類、２−ピロリドン、Ｎ−メチル−２−ピロリドン、１，３−ジメチルー２−イミダゾリジノン、ホルムアミド、アセトアミド、ジメチルスルホキシド、ソルビット、ソルビタン、アセチン、ジアセチン、トリアセチン、スルホラン等が挙げられ、これらの１種又は２種以上を用いることができ、これらの水溶性有機溶剤は、インク組成物の適正な物性値（粘度等）の確保、印刷品質、信頼性の確保という観点で、インク組成物中に１０〜５０重量％含まれることが好ましい。
【００３６】
さらに、本発明の水性インク組成物には必要に応じて、ｐＨ調整剤、界面活性剤、酸化防止剤、紫外線吸収剤、防腐・防カビ剤等を添加することが出来る。
【００３７】
ｐＨ調整剤としては、水酸化リチウム、水酸化カリウム、水酸化ナトリウム等のアルカリ金属の水酸化物、アンモニア、トリエタノールアミン、トリプロパノールアミン、ジエタノールアミン、モノエタノールアミン等のアミン類等を用いることが出来る。また、必要に応じて、コリジン、イミダゾール、燐酸、３−（Ｎ−モルホリノ）プロパンスルホン酸、トリス（ヒドロキシメチル）アミノメタン、ほう酸等をｐＨ緩衝剤として用いることが出来る。
【００３８】
界面活性剤としては、アニオン性界面活性剤、カチオン性界面活性剤、両性界面活性剤およびノニオン性界面活性剤を含有することができる。発泡・起泡の少ないインク組成物を得るという観点からノニオン性界面活性剤が特に好ましい。ノニオン性界面活性剤のさらなる具体例として、アセチレングリコール系界面活性剤、アセチレンアルコール系界面活性剤、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、ポリオキシエチレンアルキルエーテル、ポリオキシアルキレンアルキルエーテルなどのエーテル系、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレート等のエステル系、ジメチルポリシロキサン等のシリコン系界面活性剤、その他フッ素アルキルエステル、パーフルオロアルキルカルボン酸塩等の含フッ素系界面活性剤等が挙げられる。上記ノニオン性界面活性剤の中でも特にアセチレングリコール系界面活性剤およびアセチレンアルコール系界面活性剤が発泡も少なく、また優れた消泡性能を有する点で好ましい。アセチレングリコール系界面活性剤およびアセチレンアルコール系界面活性剤の更なる具体例としては、２，４，７，９−テトラメチル−５−デシン−４，７−ジオール、３，６−ジメチル−４−オクチン−３，６−ジオール、３，５−ジメチル−１−ヘキシン−３オールなどが挙げられるが、市販品で入手も可能で、例えば、エアープロダクツ社のサーフィノール１０４、８２、４６５、４８５、ＴＧや日信化学社製のオルフィンＳＴＧ、オルフィンＥ１０１０等が挙げられる。
【００３９】
酸化防止剤・紫外線吸収剤としては、アロハネート、メチルアロハネートなどのアロハネート類、ビウレット、ジメチルビウレット、テトラメチルビウレットなどのビウレット類など、Ｌ−アスコルビン酸およびその塩等、チバガイギー社製のＴｉｎｕｖｉｎ３２８、９００、１１３０、３８４、２９２、１２３、１４４、６２２、７７０、２９２、Ｉｒｇａｃｏｒ２５２、１５３、Ｉｒｇａｎｏｘ１０１０、１０７６、１０３５、ＭＤ１０２４など、あるいはランタニドの酸化物等が用いられる。
【００４０】
防腐剤・防かび剤としては、例えば安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン（Ａｖｅｃｉａ社のプロキセルＣＲＬ、プロキセルＢＤＮ、プロキセルＧＸＬ、プロキセルＸＬ−２、プロキセルＴＮ）等が挙げられる。
【００４１】
本発明のインク組成物はペン等の筆記具類、スタンプ等に好適に使用することができるが、インクジェット記録用インク組成物としてさらに好適に使用できる。本発明においてインクジェット記録方式とは、インク組成物を微細なノズルより液滴として吐出して、その液滴を記録媒体に付着させる方式を意味する。具体的に以下に説明する。
【００４２】
第一の方法としては、静電吸引方式があり、この方式はノズルとノズルの前方に置いた加速電極の間に強電界を印可し、ノズルからインクを液滴状で連続的に噴射させ、インク滴が偏向電極間を飛翔する間に印刷情報信号を偏向電極に与えて記録する方式、あるいはインク滴を偏向することなく印刷情報信号に対応して噴射させる方式である。
【００４３】
第二の方法としては、小型ポンプでインク液に圧力を加え、ノズルを水晶振動子等で機械的に振動させることにより、強制的にインク滴を噴射させる方式である。噴射したインク滴は噴射と同時に帯電させ、インク滴が偏向電極間を飛翔する間に印刷情報信号を偏向電極に与えて記録する。
【００４４】
第三の方法は圧電素子を用いる方式であり、インク液に圧電素子で圧力と印刷情報信号を同時に加え、インク滴を噴射・記録させる方式である。
【００４５】
第四の方式は熱エネルギーの作用によりインク液を急激に体積膨張させる方式であり、インク液を印刷情報信号に従って微小電極で加熱発泡させ、インク滴を噴射・記録させる方式である。
【００４６】
以上のいずれの方式も本発明のインクを用いたインクジェット記録方法に使用することができる。
【００４７】
本発明の記録物は、少なくとも上記インク組成物を用いて記録が行われたものである。この記録物は、本発明のインクを用いることによりにじみ、色むらがなく、十分な画像濃度が得られ、優れた品質を示す。
【００４８】
本発明のインクジェット記録装置は、インクの液滴を吐出し、前記液滴を記録媒体に付着させて記録を行うインクジェット記録装置であって、インクとして上記構成のインク組成物を少なくとも用いるものである。本発明においては、上述のインクジェット記録方式のいずれを採用した記録装置であっても使用することができる。
【００４９】
【実施例】
以下、実施例を用いて本発明を更に詳細に説明するが、本発明はこれらの実施例に限定されるものではない。
【００５０】
実施例１〜４および比較例１〜２の各インク組成物について、表１に示す割合で各成分を混合し、室温にて２時間攪拌した後、孔径約５μｍのメンブランフィルターにて濾過して、調製した。ただし表１中に示す添加量は全て重量％濃度として表わされている。またイオン交換水の「残量」とは、インク全量が１００部となるようにイオン交換水を加えることを意味する。
【００５１】
【表１】
2005023231.tif 000008
【００５２】
表１で調製した実施例１〜４および比較例１〜２のインク組成物について、以下の評価を行った。
【００５３】
インクジェットプリンターＥＭ−９３０Ｃ（セイコーエプソン（株）製）で７２０ｄｐｉの解像度で文字及びベタ印字の印刷を行った。記録媒体として、ゼロックスＰ（商品名：富士ゼロックス社製普通紙）、Ｘｅｒｏｘ  ４０２４（商品名：Ｘｅｒｏｘ  Ｃｏ．（米国）製普通紙）、ゼロックスＲ（商品名：富士ゼロックス社製再生紙）、リサイクルカットＲ１００（商品名：王子製紙社製再生紙）の４種類の紙に印字を行い、得られたサンプル（記録物）を用いて、下記に示す試験１〜４について評価した。
【００５４】
（試験１）乾燥性
印刷直後のベタ部分に、印刷をしていないゼロックスＰ紙をのせ、その上に２８８ｇ／ｃｍ２のおもりをのせて、インクの転写がなくなるまでの時間を測定した。
Ａ；  直後で転写しない。
Ｂ；  印刷後１０秒未満で転写しない。
Ｃ；  印刷後１０秒では転写する。
【００５５】
（試験２）ＯＤ値
グレタグ濃度計（グレタグマクベス社製）を用いて、記録物のベタ部分のＯＤ値を測定した。測定値を表２に示す。
【００５６】
（試験３）にじみ
目視及び金属顕微鏡を用いて記録物を５０倍に拡大し、文字部分のにじみ状態を確認した。その状態を下記基準に基づき判定した。
Ａ；  ５０倍に拡大しても、にじみが殆どみられない。
Ｂ；  目視ではにじみが殆どみられないが、５０倍に拡大すると所々ににじみがある。
Ｃ；  目視でもにじみが目立つ。
【００５７】
（試験４）色むら
目視にてベタ部分の色むら状態を確認した。その状態を下記基準に基づき判定した。
○；  むらがない
×；  むらがある
【００５８】
（試験５）吐出安定性
調製した各インク組成物を用いて、常温にて、インクジェットプリンターＥＭ−９３０Ｃでベタ及び線のパターンを連続印字した。印刷５００ページ内でのインクのドット抜けや飛行曲がりの際に正常印刷への復帰動作として行うプリンターノズルのクリーニングの回数を評価し、下記基準に基づき判定した。
Ａ；クリーニング０回。
Ｂ；クリーニング１〜４回。
Ｃ；クリーニング５回以上
【００５９】
（試験６）間欠印字安定性
調製した各インク組成物を用いて、インクジェットプリンターＥＭ−９３０Ｃで文字を１０ページ印刷した後、クリーニングを行い、再び印刷する際の印字安定性について、下記基準に基づき判定した。
○；クリーニング後の印字初めに吐出乱れがない。
×；クリーニング後の印字初めに吐出乱れがある。
【００６０】
（試験７）保存安定性
アルミパックにインク組成物５０ｇを入れた状態で７０℃の環境下に１週間放置した。放置後、異物（沈降物）の発生の有無について、また、異物の発生がないものについては、更に物性（粘度、表面張力、ｐＨ、分光特性等）の変化について、下記基準に基づき判定した。
Ａ；異物の発生がなく、物性の変化もない。
Ｂ；異物の発生はないが、物性が若干変化する。
Ｃ；異物が発生する。
【００６１】
（試験８）目詰まり性
インクジェットプリンターＥＭ−９３０Ｃを用いて、各インクをヘッドに充填し、全ノズルよりインク組成物が吐出していることを確認した後、インクカートリッジがない状態で、かつホームポジション外の位置（ヘッドがプリンタに備えたキャップの位置からずれており、ヘッドにキャップがされていない状態）で４０℃の環境下に１週間放置した。放置後に、再び全ノズルよりインク組成物が吐出するまでに要したクリーニングの回数を調べ、下記基準に基づき判定した。
Ａ；クリーニング１回。
Ｂ；クリーニング２〜５回。
Ｃ；クリーニング６回以上。
【００６２】
以上の評価判定結果を表２にまとめる。
【００６３】
【表２】
2005023231.tif 000009
【００６４】
表２から明らかなように、本発明のインク組成物によれば、普通紙、再生紙に対する乾燥性やにじみ、色むらがなく、十分な画像濃度が得られる。
【００６５】
さらに、本発明のインク組成物は、インクジェットプリンター用インクとして用いた場合、吐出安定性及び保存安定性に優れ、ノズルの目詰まり回復性が良好であることから、インクジェット記録に用いる際に、高い信頼性が得られるものである。また、本発明のインク組成物を用いた記録物は、にじみ、色むらがなく、十分な画像濃度が得られるため、優れた品質の記録物を提供できる。